(57)【要約】【課題】未露出フィルムの巻上げをカメラ外部からの機械的操作の助けを借りずカメラ本体に持つ装置のみで完結させ、かつフィルムの再装填及び事前巻き上げも容易にできるようにする。【解決手段】使い捨てカメラとして使用することができるカメラであって、フィルム１８を給送するためのモーター１６と、レンズの片側に配置され未露出フィルムが巻き付けられる事前巻き取りスプール１０と、未露出フィルムの他の一端が係止されたフィルム巻き取り軸が内蔵されたフィルムパトローネ１２と、フィルムの給送により駆動され、シャッターチャージ部材（シャッターアクチュエーター３７）を制御するスプロケット２７と、スプロケットをシャッターチャージ部材に対して自由にしたり噛み合わせたりするスプロケット制御部材（主軸３３等）とを備え、スプロケット制御部材はシャッターボタン８の動作により駆動される。【選択図】        図１０
2004177735.tif 000002
【特許請求の範囲】
【請求項１】
使い捨てカメラとして使用することができるカメラであって、
フィルムを給送するためのモーターと、レンズの片側に配置され未露出フィルムが巻き付けられる事前巻き取りスプールと、前記未露出フィルムの他の一端が係止されたフィルム巻き取り軸が内蔵されたフィルムパトローネと、フィルムの給送により駆動され、シャッターチャージ部材を制御するスプロケットと、前記スプロケットを前記シャッターチャージ部材に対して自由にしたり噛み合わせたりするスプロケット制御部材とを備え、
前記スプロケット制御部材はシャッターボタンの動作により駆動されることを特徴とする使い捨てカメラとして使用することができるカメラ。
【請求項２】
前記シャッターボタンが押されている間は、前記スプロケットは前記シャッターチャージ部材に対して自由になり、前記スプロケットは前記未露出フィルムを前記事前巻き取りスプールに巻きつける方向に回転可能であることを特徴とする請求項１記載の使い捨てカメラとして使用することができるカメラ。
【請求項３】
前記シャッターボタンが押されていないときは、前記スプロケットは前記シャッターチャージ部材に噛み合い、前記フィルムパトローネの中に巻き戻す方向にだけ回転可能であることを特徴とする請求項１又は２記載の使い捨てカメラとして使用することができるカメラ。
【請求項４】
使い捨てカメラとして使用することができるカメラであって、
フィルムを給送するモーターと、当該モーターの回転方向を切り換える手段としての電池室とを備え、当該電池室は１個の電池に対して３個の接点を備え、１個の電池に対して３個の接点のうち２個を選択することにより前記モーターの回転方向を切り換えることを特徴とする使い捨てカメラとして使用することができるカメラ。
【発明の詳細な説明】
【０００１】
【発明が属する技術分野】
本発明は、レンズ、シャッターなどの簡単な露出機構とフィルム給送を行う機構を内蔵し、予め例えば３５ミリサイズのフィルムが装填されている、使い捨てカメラとして使用することができるカメラに関する。特に内蔵モーターにより事前の未露出フィルムの装填巻上げと、既露出フィルムのパトローネへの巻き戻しを行う使い捨てカメラとして使用することができるカメラに関する。通常の使い捨てカメラとは異なり、カメラ本体を破壊することなく露出済みフィルムをカメラ本体から取り出すことができ、製造者が、余分に部品を追加することなく又再利用のための改造を施すこともなしに再利用し得る使い捨てカメラに使用することができるカメラに関する。
【０００２】
【従来の技術及び発明が解決しようとする課題】
使い捨てカメラは、現在の市場において大変普及している。それらは未露出フィルムが予め装填されて販売され、シャッターを切って露出する度に取り出し可能なフィルムパトローネに露出済みフィルムを巻き戻すようになっていて、ユーザーは高価なカメラを購入しないでも気軽に撮影を楽しむことができる。
【０００３】
しかしながら、通常の使い捨てカメラは、本体の一部を破壊しない限り撮影済みフィルムを取り出せないようになっているために、そのままではカメラとして再利用することが困難である。更にフィルムを事前に装填する手順が、暗室内でカメラの外部で行うため、大変複雑で難度の高い操作を必要とする。
【０００４】
米国特許第４８８４０８７号と第４９７２６４９号に開示されているように、通常次のような手順、すなわち先ず暗室内においてフィルムパトローネから未露出フィルムを引き出しロール状に巻き上げ、そのロール状に巻き上げた未露出フィルムを使い捨てカメラ内に設けられた未露出フィルム収納室に収納し、更にパトローネをパトローネ室に収納し、カメラのカメラ後ろカバーを閉めて、光漏れのない、いわゆる光密状態にした上で、カメラ全体を包装物で密閉してユーザーには開閉できないようにして販売される。
【０００５】
上記のような手順を踏むためには、特殊で複雑な機構をもつフィルム巻き上げ装填装置が必要であり、殆ど総ての操作を暗室内で行う必要がある。周知の通り、そのような暗室内作業は大変面倒なものである。更に通常の使い捨てカメラにあっては、カメラ後ろカバーが開閉不可能な状態に密閉されており、カメラ本体の一部を破壊しない限り撮影済みフィルムを取り出すことはできない。以上２つの事柄、すなわち暗室内における事前のフィルム巻き上げ装填と本体の一部を破壊しない限り撮影済みフィルムを取り出せないと言うことが、カメラ製造者にとっても、あるいはフィルム現像処理業者にとっても、通常の使い捨てカメラを容易に再利用できない原因になっており、一部の部品、部材のみしか再利用できない原因になっている。
【０００６】
もし、使い捨てカメラが、本発明のように、内蔵されたモーターを持ち、それによって、外部に設けられた特別な巻き上げ装填装置の助けを借りることなしに、昼光下で簡単に未露出フィルムを巻き上げることができれば、そのような使い捨てカメラは、ごく簡単に内蔵モーターを使用して昼光下で、暗室外で、普通にフィルムの再装填が可能である。そして、そのようなモーター内蔵の使い捨てカメラに、ごく普通の開閉可能なカメラ後ろカバーを設ければ、製造者にも、フィルム現像処理業者にも、簡単にフィルムの再装填、カメラの再利用が可能になる。
【０００７】
本発明による使い捨てカメラの場合、製造者又はフィルム現像処理業者にとって、暗室内で使用するための高価で複雑なフィルム事前巻き上げ装填装置は必要でなく、ごく安価にフィルムの再装填を昼光下で行うことができる。一般のユーザーですら、特に特殊な装置、器具等が不要なためフィルムの再装填は可能である。
【０００８】
更に、前記内蔵モーターがフィルムの事前巻上げのみでなく、撮影後のフィルム巻上げにも利用できることになれば、そのようなモーター内蔵の使い捨てカメラの利便性は通常の手動巻上げ方式の使い捨てカメラに比べてはるかに高いものになる。
【０００９】
本発明は、上記事情に鑑みてなされたもので、本発明の第１の目的は、使い捨てカメラとして使用することができるカメラにモーターを内蔵し、それにより、未露出フィルムの巻上げをカメラ外部からの機械的操作の助けを借りずカメラ本体に持つ装置のみで完結させ、かつフィルムの再装填及び事前巻き上げも容易にできるようにすることである。
【００１０】
本発明の第２の目的は、モーターを内蔵し自動的にフィルム給送を行う機構をもった使い捨てカメラとして使用することができるカメラにあって、その給送機構がフィルムの事前巻き上げのための給送方向から通常撮影後のフィルム巻き上げの給送方向へ、あるいはその反対の場合も含めて、その給送運動の方向変換を特に簡単に行えるようにすることであり、さらに、その機構がスプロケットとシャッターチャージ及びシャッターレリーズを容易に制御できるようにすることである。
【００１１】
本発明の第３の目的は、使い捨てカメラとして使用することができるカメラであって、容易に開閉可能なカメラ後ろカバーを有し、カメラ本体のどの部分も破壊することなしに、撮影済みフィルムを取り出せるようにすることである。
【００１２】
【課題を解決するための手段】
本発明の請求項１記載の使い捨てカメラとして使用することができるカメラは、フィルムを給送するためのモーターと、レンズの片側に配置され未露出フィルムが巻き付けられる事前巻き取りスプールと、前記未露出フィルムの他の一端が係止されたフィルム巻き取り軸が内蔵されたフィルムパトローネと、シャッターチャージ部材を制御するためにフィルムの給送により駆動されるスプロケットと、前記スプロケットが前記シャッターチャージ部材に対して自由にしたり噛み合わせたりするスプロケット制御部材とを備え、前記スプロケット制御部材はシャッターボタンの動作により駆動されることを特徴とする。
【００１３】
このものでは、製造者又はフィルム現像処理業者にとって、暗室内で使用するための高価で複雑なフィルム事前巻き上げ装填装置は必要でなく、ごく安価にフィルムの再装填を昼光下で行うことができ、一般のユーザーですら、特に特殊な装置、器具等が不要なためフィルムの再装填を行うことができる。また、内蔵モーターがフィルムの事前巻上げのみでなく、撮影後のフィルム巻上げにも利用でき、カメラの利便性は通常の手動巻上げ方式の使い捨てカメラに比べてはるかに高いものになる。
【００１４】
本発明の請求項２記載の使い捨てカメラとして使用することができるカメラは、前記シャッターボタンが押されている間は、前記スプロケットは前記シャッターチャージ部材に対して自由になり、前記スプロケットは前記未露出フィルムを前記事前巻き取りスプールに巻きつける方向に回転可能であることを特徴とする請求項１記載のカメラ。
【００１５】
このものでは、スプロケットがフリーになり、事前巻き取りスプールに未露出フィルムを事前に巻き取ることができる。
【００１６】
本発明の請求項３記載の使い捨てカメラとして使用することができるカメラは、前記シャッターボタンが押されていないときは、前記スプロケットは前記シャッターチャージ部材に噛み合い、前記フィルムパトローネの中に巻き戻す方向にだけ回転可能であることを特徴とする。
【００１７】
このものでは、撮影後露出フィルムをパトローネ内に巻き取ることができる。
【００１８】
本発明の請求項４記載の使い捨てカメラとして使用することができるカメラは、フィルムを給送するモーターと、当該モーターの回転方向を切り換える手段としての電池室とを備え、当該電池室は１個の電池に対して３個の接点を備え、１個の電池に対して３個の接点のうち２個を選択することにより前記モーターの回転方向を切り換えることを特徴とする。
【００１９】
このものでは、スイッチを設けないでも、電池に対する接点を選択するだけでモーターの回転方向、すなわちフィルムの搬送方向を変更することができる。
【００２０】
【発明の実施の形態】
以下に、本発明の実施の形態に係る使い捨てカメラとして使用することができるカメラについて説明する。
【００２１】
本実施の形態に係る使い捨てカメラに使用することができるカメラは、本発明の目的を実現するために、露出のための開口部を構成するレンズを持つ本体を有し、その本体にフィルムを事前に巻き上げるための、あるいは撮影済みフィルムを巻き取るためのモーターを内蔵し、その本体に設置されたフィルム事前巻き取りスプール上に、モーターにより巻き上げられた未露出フィルムがレンズの片側に配置してあり、そのレンズのもう一方の側にフィルム巻き取り軸を内蔵した取り出し可能なフィルムパトローネを配置し、そのパトローネのフィルム巻き取り軸のスロットには前記未露出フィルムの一端が挿入固定してあり、その本体に内蔵した未露出フィルム事前巻き上げ及び露出済みフィルム巻き取り用のモーターにより駆動されるフィルム駆動装置を有し、前記フィルム駆動装置と露出を制御するためのシャッター及びスプロケットの制御機構を備え、カメラの後方から蝶番によって本体に連結された開閉可能でロック可能なカメラ後ろカバーを有し、前記カメラ後ろカバーと共に、カメラ全体を光密にするために前方からカメラ本体に取り付けられたカメラ前面カバーを有するものである。
【００２２】
本実施の形態に係るカメラによれば、新しい未露出フィルムは事前巻き取りスプールに巻き上げられており、その未露出フィルムは、撮影が済む度に既露出フィルムとして一枚づつフィルムパトローネに巻き戻されていくようになっている。そして、この未露出フィルムの巻き上げも、既露出フィルムの巻き戻しも、どちらも内蔵モーターによって行われる。従って、フィルム全体の露出が終わった時点では、露出済みフィルムの総ては既に全部フィルムパトローネに巻き戻されていて、カメラ後ろカバーを開けることによって昼光下でも安全にフィルムを使い捨てカメラから取り出すことができる。本実施の形態の使い捨てカメラでは、撮影済みフィルムを取り出すためにカメラの如何なる部分も破壊する必要は全くない。
【００２３】
一般的に通常のフィルム給送用モーターを内蔵した３５ｍｍコンパクトカメラでは、フィルムのパーフォレーションをカウントしながらスプロケットを回転させ、一枚分のパーフォレーションをカウントした時点、すなわち一枚分のフィルムが給送された時点でモーターを止める。同時にそのスプロケットの回転はシャッターチャージにも利用されている。すなわち、一回シャッターが切られ、撮影済みフィルムが巻き取られている間、スプロケットは常にフィルムの給装と連動して回転しており、そのスプロケットの回転に連動してシャッターがチャージされる。
【００２４】
通常のモーターを内蔵した３５ｍｍコンパクトカメラでは、フィルムを全部撮り終わった後で撮影済みフィルムをフィルムパトローネに巻き戻すことが必要であり、そのカメラが、事前巻き上げタイプのカメラであれば、事前にモーターによって、未露出フィルムを全部巻き上げておくことが必要である。この撮影後の巻き戻しには、巻き戻しのためにモーターの回転方向を変えるスイッチが必要であり、撮影前の未露出フィルム巻き上げの場合はその終了後においては通常の撮影用にやはりモーターの回転方向を変えるスイッチが必要であり、いずれにしてもフィルムの給送方向の変換が必要である。このために、スプロケットをシャッターチャージ機構から切り離して自由に回転できるようにするためにはかなり複雑に構築されたクラッチ機構も必要である。さもなければ、フィルム給装の方向が、撮影モードから巻き戻しモード或いは事前巻き上げモードに変換されると、シャッターチャージ機構と連結されていて回転の方向が変換できないスプロケットではフィルム給装の方向変換に追従できずに停止してしまい、フィルムを破損させることになる。
【００２５】
本発明の実施の形態に係る使い捨てカメラに使用することができるカメラにおいては、内蔵モーターは未露出フィルムをフィルムパトローネから引き出して、フィルム事前巻き取りスプールに巻き上げるために使用され、かつ、撮影済みフィルムをフィルムパトローネに巻き戻すために使用される。そこで、内蔵モーターの回転方向は、未露出フィルムの巻き上げの場合と、既露出フィルムをパトローネに巻き戻す場合では、異なっており、それぞれの場合に応じて、モーターの回転方向を変える必要がある。
【００２６】
そのようなモーター回転方向の変換を行うために、本発明においては、電池の位置の上下を電池室内で変える方法を採っている。つまりその位置変換により電流の流れる方向が一方から別の方向に変わり、それによって、モーターの回転方向も変えることができる。
【００２７】
上記の方法を実現するために、本発明の実施の形態に係る使い捨てカメラに使用することができるカメラでは、特別に設計された電池室を設け、その電池室では、通常のスプリング接点を電池室の一方に設け、他方には、２つの異なった形状と位置関係を持つ金属接点を用意し、電池の上下位置（＋位置と−位置）を入れ替えることにより前記２つの金属接点の一方を選択することができるようになっていて、その選択した位置により、電流の方向すなわち、モーター回転方向を変えることができる。
【００２８】
モーター回転の方向を変えることにより、フィルムの給送方向も未露出フィルムをフィルムパトローネから引き出し事前巻取りを行う方向から、既露出フィルムをフィルムパトローネに巻き戻す方向に変えることができる。
【００２９】
シャッターチャージと一回撮影毎のフィルム給送の長さ（距離）の計測は、フィルムのパーフォレーションに係合するスプロケットを使って行われる。フィルムが、事前巻き上げの方向に給送されているときは、シャッターチャージの必要もなく、又フィルムを一枚毎に止める必要もないので、スプロケットはシャッターチャージ機構とは無関係に、フィルムの動きと共に、自由に回転しなければならない。他方、フィルムがフィルムパトローネに巻き戻される方向に給送されている時は、スプロケットはその回転によって次の露出（撮影）に備えてシャッターをチャージしなければならないとともに、一枚分のフィルムをフィルムパトローネに巻き取った後にフィルムの給送を停止しなければならない。
【００３０】
このフィルム給送変更に伴い、或いはモーター回転方向の変換に伴い、スプロケットの機能を変換するために、本発明の実施例に係る使い捨てカメラに使用することができるカメラでは、スプロケットを持ちシャッターチャージとシャッターレリーズをつかさどる簡便なメカニズムを備えている。すなわち、フィルムがフィルムパトローネに巻き戻されているときは、そのフィルムのパーフォレーションの動きに係合してスプロケットが一方向に動き、シャッターチャージとフィルム給送の停止を行う。
【００３１】
一方、フィルムが別の方向、つまりフィルムパトローネから引き出される方向に給送され、事前巻き取りスプールに巻き上げられる時は、如何なるクラッチ機構も持たないにもかかわらずスプロケットをシャッター制御機構からフリーにして自由に回転させる。
【００３２】
このシャッター・スプロケット制御機構はシャッターチャージ、シャッターレリーズ、モーターのＯＮ／ＯＦＦ，フィルム事前巻き上げ時のスプロケットのシャッターチャージ機構からの切り離し等多目的に働いている。
【００３３】
【実施例】
図１は本発明の実施例に係る使い捨てカメラの外観を示したものである。本使い捨てカメラ１は、カメラ本体部２と、カメラ前面部３と、カメラ後ろカバー４とで構成されている。カメラ本体部２は撮影レンズ５、ファインダー窓６、フラッシュ窓７、シャッターボタン８、そしてシャッターメカニズム、フィルム給送のためのモーター１６、フィルム給送機構等の撮影に必要な諸機能を備えている。カメラ前面部３はカメラ本体部２にネジ等の通常用いられる方法で固定されている。カメラ後ろカバー４は、蝶番９を用いてカメラ本体部２に固定され、それ自身カメラ本体部２にロックすることができる。
【００３４】
このように本使い捨てカメラ１は、三つの部分すなわちカメラ本体部２、カメラ前面部３及びカメラ後ろカバー４によりしっかりその外壁部分が構成され、そこに撮影レンズ５、ファインダー窓６、フラッシュ窓７、シャッターボタン８等のための開口部をもっている。
【００３５】
図２（ａ），（ｂ）は、本使い捨てカメラ１のカメラ後ろカバー４を開けてその内部を示したものである。カメラ本体部２の中にはフィルム事前巻き取りスプール１０とフィルムパトローネ１２（図２（ｂ）参照）を収納するフィルム室１１とが露出用開口部１３の両側に位置するように備えられている。フィルム室底部からフォーク状の爪であるフォーク１４が突き出るように設置され、そのフォーク１４は、図３に示すように、カメラ本体部２に内蔵されるモーター１６によってギヤ列１５と共に駆動され回転する。
【００３６】
本使い捨てカメラ１に新しいフィルム１８（図示するものは３５ｍｍパトローネ入りロールフィルム、以下フィルムと称する。）を装填する場合は、カメラ後ろカバー４を開き、フィルム室１１にフィルムパトローネ１２をパトローネの位置が前記フォーク１４に対しうまく係合するように調節しながら装填し、フィルム１８の先端１７をパトローネ１２から引き出しフィルム事前巻き取りスプール１０の上に図２（ｂ）に示すようにおく。
【００３７】
フィルム１８の装填が終わりカメラ後ろカバー４を閉じた後に、図４に示すように電池蓋２１を開け、１．５ボルトの単３型乾電池２２を、図５（ａ）、図６及び図７に示すように、電池室１９内にフィルム事前巻き取り用の電極位置マーク２０−ａに従って挿入し電池蓋を閉じる。
【００３８】
その後、シャッターボタン８を押すと、図１１に示される機構の働きによってモーター１６が駆動され、ただちにフィルム１８の事前巻き取りが開始され、フィルム１８はフィルム事前巻き取りスプール１０に巻き取られ、フィルム全体のフィルム事前巻き取りスプール１０への巻取りが終了するとモーター１６は止まり事前巻き取りスプール１０も停止する。以上述べたフィルム１８の事前巻き上げ装填の総ての手順は、暗室内でなく昼光下で行うことができる。
【００３９】
本使い捨てカメラ１が工場から出荷される前に、事前巻き取りが終了した時点で電池２２を一度電池室１９から取り出して、図５（ａ）、図８及び図９に示すように、フィルム１８をパトローネに巻き取る時すなわち撮影モードの電極位置マーク２０−ｂに従って再び電池室１９に挿入し直される。これにより、モーター１６の回転方向が逆になり、フィルム１８の給送方向も逆になり、フィルム１８は事前巻き上げの方向と反対にフィルムパトローネに巻き込まれるようになる。
【００４０】
以上説明したように、本使い捨てカメラ１では、フィルム事前巻き上げが完了した後、モーター１６の回転方向をフィルム事前巻き上げの方向（以下事前巻き上げモードと称する。）からフィルムのパトローネへの巻き込みの方向（以下撮影モードと称する。）への変換が必要である。この変換は、単に電池室１９内で電池の位置を上下に変えるだけで行うことができる。この変換は電池室内１９に設置された、金属接点２３，２５及び２６に対して電池２２の対応を変えることによって行うことができる。電池の電極マーク（＋／−）は、電池室１９の内部またはその近くの適当な場所に、図４及び図５（ａ）に示すように、事前巻き上げモード及び撮影モードに対応して表示される。
【００４１】
本使い捨てカメラ１のモーター１６によるフィルム給送機構とその回路においては、電池２２が事前巻き上げモード位置にあれば、モーター１６はフィルム１８を事前巻き上げの方向に給送するように回転し、電池２２が撮影モード位置にあれば、モーター１６はフィルム１８をパトローネに巻きとる方向に給送するように回転するように設計されている。
【００４２】
電池室内１９の金属接点の一つは図５（ａ）に示されるような普通の金属製ばね接点２３である。電池室の別の側には、図５（ｂ）に示すように、穴のような凹部２４が設けられ、そこには２つの金属接点２５と金属接点２６が固定されている。金属接点２５は金属板タイプで、凹部２４の後ろ奥に設置され、もう一つの金属接点２６もやはり金属板タイプで、凹部２４の前面の縁に設置されている。図５（ａ）、図８および図９に示すように、電池２２が電池室１９に表示の撮影モードの電極マーク２２−ｂに従って挿入された時には、電池２２のプラス電極のみを金属接点２５に接触させることができる。図５（ａ）、図６及び図７に示すように、反対に電池２２が電池室１９に表示の事前巻き上げモードの電極マーク２２−ａに従って、挿入された時には、電池２２のマイナス電極のみを金属接点２６に接触させることができる。
【００４３】
本使い捨てカメラ１のモーター回路においては、電池２２の電極のプラスとマイナスが電池室内１９の２つの金属接点２５又は金属接点２６のどちらに接しているかによって電流が２つの異なる方向に流れるように設計されており、電池の位置を単に上下反対にすることで、事前巻き上げモードのモーター回転から撮影モードのモーター回転への回路変更を、モーター回転変換用のスイッチ類を一切使用しないで可能にしている。なお、事前巻き上げモードは図７に、撮影モードは図９に示される。
【００４４】
図１０は、本使い捨てカメラ１のシャッター・スプロケット制御機構の好ましい実施例を示す。フィルム１８は図１０の矢印の方向に走行している。フィルム１８のパーフォレーション２８に係合するように、スプロケット２７がスプロケット軸２９の一端に取り付けられ、スプロケットカム３０がスプロケット軸２９のもう一方の端に取り付けられている。スプロケット２７の上にスプロケットディスク３１がスプロケット２７の一部としてスプロケット軸２９に設けられている。シャッター・スプロケット制御機構の主軸３３の上端にカム接触爪３２が設けられ、スプロケットカム３０の縁の表面に接触しスプロケットカム３０の縁をなぞるように運動している。そして主軸コイルばね５７によって主軸３３全体は常時上方に押し上げられている。主軸３３の下端にはシャッターセットレバー３４が設けられている。カム接触爪３２がスプロケットカム３０の縁の表面に接触しているとともに、スプロケット２７はカム接触爪３２やシャッターセットレバー３４などのシャッターチャージ機構にも連動している。
【００４５】
もしフィルム１８が図１０の矢印の方向に走行すると、スプロケット２７は運動しているフィルム１８のパーフォレーション２８に係合しているので反時計回りに回転し、カム接触爪３２はスプロケットカム３０の縁の表面に接触しスプロケットカム３０の縁をなぞりながら主軸３３と共に時計回りに回転する。同時にシャッターセットレバー３４もまた時計回りに回転する。カム接触爪３２の上方で直ぐ傍にシャッターボタン８が設けられ、その下にシャッター・事前巻き上げスイッチの中央接点４３（以下シャッター中央接点４３と称する。）があり、常時シャッターボタン８を上方に押し上げている。シャッター中央接点４３の先端は、カム接触爪３２の上表面に接触するように設置され、シャッターボタン８が押し下げられると、カム接触爪３２と主軸３３も同時に押し下げられ、カム接触爪３２はスプロケットカム３０の縁から離れ、両者はお互いにフリーになる。
【００４６】
シャッター・スプロケット制御機構にはシャッターアクチュエーター３７があり、シャッターセットレバー３４の先端４１がシャッターアクチュエーター３７に設けてある溝４２に挿入され、シャッターセットレバー３４とシャッターアクチュエーター３７は連結されて運動する。シャッターアクチュエーター３７は、その一端に設けられた溝レールスロット３９に挿入されているガイドピン３８に沿って左右にスライドして運動する。シャッターアクチュエーター３７にはシャッターチャージばね４０が掛けられ、図の右方向に引っ張られている。図１０の状態では、シャッターチャージばね４０は左に（パトローネの方向）に一杯にチャージされて、それと共にシャッターアクチュエーター３７も左に引かれ、チャージされている。そしてシャッターアクチュエーター３７はその位置にシャッターセットレバー３４の先端４１によりロックされている。そのシャッターセットレバー３４自身も、スプロケットカム３０によってロックされたカム接触爪３２と主軸３３を介してロックされている。
【００４７】
カム接触爪３２と主軸３３がスプロケットカム３０から離れてフリーになると、シャッターセットレバー３４もまたフリーになり、シャッターセットレバー３４の先端４１によるロックがなくなるので、シャッターアクチュエーター３７は直ちにシャッター５２に向かって右方向に走行する。
【００４８】
すなわち、シャッターボタン８が押し下げられると、カム接触爪３２も主軸３３と共に下がり、スプロケットカム３０からフリーになり、シャッターセットレバー３４もまたフリーになり反時計方向に回転できるようになる。シャッターアクチュエーター３７はシャッターチャージばね４０の力で直ちに、右方向（フィルム事前巻き取りスプールの方向）に走行し、シャッターアクチュエーター３７の先端５３がシャッター羽根頭部５１に押圧当接してシャッター５２を開き、その後更に前進して、シャッター羽根頭部５１を乗り越えてシャッター５２が再び閉じられ、シャッターアクチュエーター３７はそこでシャッターチャージばね４０に引っ張られて停止する。
【００４９】
シャッターアクチュエーター３７に連結されて、中央接点４６を制御するための作動レバー３５が設けられている。作動レバー３５の一端３５−ａはシャッター機構基板５９にシャッターアクチュエーター３７の走行方向に沿って設けられた細長いスロット窓５８に挿入され、シャッターアクチュエーター３７の先端５３が接触しうるようになっている。作動レバー３５の他の一端には、作動レバーの一部としてボス状の突起３５−ｂが形成されている。作動レバー３５は旋回軸６０を中心として左右のアームが旋回運動をする。
【００５０】
シャッターアクチュエーター３７が右に走行し、その先端５３がシャッター５２を開く時、作動レバー３５は反時計回りに回転する。その結果、作動レバーの突起３５−ｂもやはり反時計回りに回転する。作動レバー３５の突起部３５−ｂが反時計回りに回転すると、中央接点４６が右側（スプロケットスイッチＯＮ接点４８の方向）に引かれるような位置に設定されており、中央接点４６は作動レバー３５の一端３５−ｂに引かれると、中央接点４６を両側から挟むように設けられた、スプロケットスイッチのＯＮ接点４８とＯＦＦ接点４７とのうち、ＯＮ接点４８の方に動いてそれに接触し、スプロケットスイッチをＯＮにする。この時点では、図１３に示すように、シャッター・スプロケット制御機構のシャッターボタン８は未だ押し下げられたままであり、シャッター５２は閉じられているが、シャッターチャージばね４０によってチャージはされていない状態である。
【００５１】
シャッターアクチュエーター３７の溝レール３９の傍に設けられた溝４２にはシャッターセットレバー３７の先端４１が挿入されて連結されている。スプロケット２７と共に、スプロケット３０が反時計回りに回転しているとき、カム接触爪３２がスプロケットカム３０に接触していると、カム接触爪３２はスプロケットカム３０の側面縁に沿って、図１６に示すようにスプロケットカム３０の動きに連動して、連続して時計方向に回転する。そしてシャッターセットレバー３４も時計回りに運動し、シャッターレバー３４の先端４１はシャッターアクチュエーター３７を左方向（パトローネの方向）に押してスライドさせ、シャッター５２がチャージされるようにシャッターチャージばね４０を一杯に引き伸ばす。スプロケットカム３０が反時計方向に回転しているとき、スプロケットディスク３１も同様に反時計回転する。
【００５２】
中央接点４６の接触コーナー４９はスプロケットディスク３１の円筒側面に接触しているので、スプロケットディスク３１が回転すると接触コーナー４９はスプロケットディスク３１の側面を連続して撫でるように接触していく。シャッター５２がチャージされ、中央接点４６の接触コーナー４９がスプロケットディスク３１の側面に設けられた切り欠き溝５０に落ち込んで止まっている時は、中央接点４６はスプロケットスイッチＯＮ接点４８から離れて、スプロケットスイッチＯＦＦ接点４７に接触し、フィルム給送は停止している。
【００５３】
シャッター・スプロケット制御機構にはいくつかのスイッチが設けられている。シャッターボタン８の下には、シャッター中央接点４３があり、それがシャッターボタン８を上に押し上げている。シャッター中央接点４３の上にあって、シャッターボタン８とカム接触爪３２の間の位置に、シャッターレリーズスイッチＯＮ接点４４があり、シャッターボタン８が押し下げられていない限り、シャッター中央接点４３に接触している。シャッターレリーズスイッチＯＮ接点の反対側には、やはりシャッターボタン８とカム接触爪３２の間の位置に、事前巻き上げスイッチＯＮ接点４５があり、シャッターボタン８が押し下げられない限りシャッター中央接点４３には接触せず、シャッターボタン８が押し下げられた時だけシャッター中央接点４３に接触する。シャッターレリーズスイッチＯＮ接点４４と事前巻き上げスイッチＯＮ接点４５は、それらの間にシャッター中央接点４３を鋏むように位置決めされている。すなわち、シャッターボタン８が押されると、事前巻き上げスイッチＯＮ接点４５がＯＮになる一方、シャッターレリーズスイッチＯＮ接点４４は、シャッターボタン８が押し下げられない限り常時ＯＮになっている。上述したように、スプロケットスイッチ中央接点４６を鋏んでスプロケットスイッチＯＦＦ接点４７とスプロケットスイッチＯＮ接点４８との２つのスイッチ接点が設けられている。
【００５４】
本使い捨てカメラ１のシャッター・スプロケット制御機構の電気回路では、総てのスイッチ、つまりシャッターレリーズスイッチ、スプロケットスイッチ及び事前巻き上げスイッチ総てのＯＮとＯＦＦの位置には無関係に、図６及び図７に示すように、電池２２が、図５（ａ）に示される事前巻き上げ時の位置２０−ａに装填されていて、かつ、シャッターボタン８が押し下げられていない時はモーター１６が停止しているように設計されている。
【００５５】
フィルム１８の事前巻き上げが完了した後、押し下げていたシャッターボタン８から指を離しシャッターボタン８を元の位置に戻すと、シャッター・スプロケット制御機構の主軸３３も主軸コイルばね５７の力で元の位置に戻る。図１２のシャッター・スプロケット制御機構では、シャッターボタン８が元の位置に戻っているが、未だシャッターチャージが行われていない状態、主軸３３は上方の元の位置に戻り、事前巻き上げスイッチはＯＦＦの状態、シャッターレリーズスイッチはＯＮの状態、スプロケットスイッチもＯＮの状態であるが、図７に示すように、未だ電池２２が電池室１９の中で、事前巻き上げモード、つまり図５（ａ）に示す２０−ａの状態であるから、モーター１６は停止したままで、シャッターチャージも、フィルム１８の巻き上げも行われない状態にある。
【００５６】
本使い捨てカメラ１を撮影モードにするためには、電池室１９内の電池２２の電極の位置を図５（ａ）に示すように入れ替える必要がある。シャッターレリーズスイッチＯＮ接点４４とスプロケットスイッチＯＮ接点４８の両者は、図１２、図７に示すように、シャッターボタン８が上の元の位置に戻っているので、ＯＮの状態になっている。従って、電池２２の位置を事前巻き上げモード２２−ａから撮影モード２２−ｂに変えると、その瞬間から、図９に示すように、シャッターレリーズスイッチＯＮ接点４４とスプロケットスイッチＯＮ接点４８を通じて電流が流れ、モーター１６は回転を始める。そしてフィルム１８が、図１４の矢印の方向に走行を始め、スプロケット２７とスプロケットカム３０がフィルム１８の走行と共に反時計方向に回転を始める。
【００５７】
すると、スプロケットカム３０の側面縁を倣って動くカム接触爪３２が時計方向に回転を始め、そのため、シャッター・スプロケット制御機構の主軸３３も時計方向に回転を始める。同時にシャッターセットレバー３４が時計方向に回転を始め、シャッターアクチュエーター３７を元の位置に引き戻す。そこでシャッターアクチュエーター３７はシャッターチャージばね４０をチャージし、カム接触爪３２の先端とスプロケットカム３０のアームが噛み合った位置で停止すると、シャッターアクチュエーター３７の溝４２に連結しているシャッターセットレバー３４も停止し、その先端４１によってシャッターアクチュエーター３７もそこでロックされる。シャッターアクチュエーター３７の左方向への運動の開始と同時に、作動レバー３５がシャッターアクチュエーター３７の圧力から離れて、時計方向に回転ができるようになる。
【００５８】
すると作動レバー３５の先端３５−ｂは中央接点４６から離れ中央接点４６を引っ張ることを止め、中央接点４６はそれ自身の持つばね張力によって、中央接点の接触コーナー４９がスプロケットディスク３１の縁表面に密着する。そして接触コーナー４９はスプロケットディスク３１がスプロケット２７と共に回転している間接触を続け、スプロケットディスク３１の縁に設けた切り欠き溝５０のところで、接触コーナー４９が切り欠き溝５０に落ち込むと、中央接点４６はスプロケットスイッチＯＮ接点４８から離れて、反対側に対峙したスプロケットスイッチＯＦＦ接点４７に接触し、その瞬間モーター１６は回転を停止する。
【００５９】
フィルム巻き上げの時のスプロケット２７の回転始めから終わりまでの回転数は一回で、その一回転で送るフィルム１８の走行距離は、正確にフィルム一枚分となるように、スプロケット２７の歯数が８個に設計されている。電池２２の位置を逆に入れ替えて、モーター１６が回転し、スプロケット２７が一回転し、一枚目の未露出フィルム１８が、フィルム事前巻き上げスプール１０から引き出され、フィルム事前巻き上げスプール１０とフィルムパトローネ１２の間の露出用開口部１３の背後に置かれると、本使い捨てカメラ１は、撮影可能になり、使い捨てカメラ１として、出荷可能な状態になる。
【００６０】
フィルム１８の事前巻き上げが終了し、図５（ａ）、図８に示すように、電池２２の電池室１９内での位置変更が行われ、カメラが撮影モードになり、一枚目の未露出フィルム１８が、開口部１３の後ろに置かれた時には、シャッター５２はチャージされている。本使い捨てカメラ１は生産ラインから出荷される時には、図１０、図８に示すように、シャッター５２はチャージされ、一枚目のフィルム１８が所定の位置にあり、シャッターレリーズスイッチの中央接点４３とシャッターレリーズスイッチＯＮ接点４４とはＯＮの状態で、スプロケットスイッチの中央接点４６とスプロケットスイッチＯＦＦ接点４７とはＯＦＦの状態になっている。
【００６１】
図１０に示すシャッター・スプロケット制御機構の状態では、もしシャッターボタン８が押し下げられると、カム接触爪３２が下に動きスプロケットカム３０から離れてフリーになり、同時に主軸３３も下に動いてフリーになり、更にシャッターセットレバー３４も反時計方向に自由に回転できるようになる。するとシャッターアクチュエーター３７は直ぐシャッターチャージばね４０の力で右の方にスライド走行し、シャッターアクチュエーター３７の先端５３はシャッター５２を開くためにその頭部５１を叩き、シャッター５２を開く。更に右に走行しシャッター羽根頭部５１を乗り越え更に先に進む。このため、一度開いたシャッター５２はシャッターアクチュエーター３７の影響がなくなり、元の位置に戻り、シャッター５２は閉じられる。
【００６２】
シャッターアクチュエーター３７の動きに連動する作動レバー３５が用意され、この作動レバー３５がスプロケットスイッチ中央接点４６を制御する。作動レバー３５の一端３５−ａはシャッター機構基板５９上に、シャッターアクチュエーター３７の先端部５３の走る軌道に沿って設けられた細長いスロット窓から突き出ている。作動レバー３５の他の一端には、小さなボス状の突起３５−ｂが作動レバー３７の一部として形成されている。そして、作動レバー３５は旋回軸６０を中心に回転できるようになっている。シャッターアクチュエーター３７の先端部５３はシャッター５２を開き、更に先に進み、シャッター５２が閉じた後に、そこで停止する。
【００６３】
作動レバー３５はその一端３５−ａがシャッターアクチュエーター３７の先端部５３に押された時に反時計方向に回転する。作動レバー３５の別の一端３５−ｂも同時に反時計方向に回転する。この作動レバー３５の左端の突起３５−ｂが反時計方向に回転すると、中央接点４６に接しながらそれをスプロケットスイッチＯＮ接点４８の方に引っ張るような位置関係に設定されている。そのスプロケットスイッチＯＮ接点４８はスプロケットスイッチＯＦＦ接点４７とともに中央接点４６を鋏むように配置され、中央接点４６がスプロケットスイッチＯＮ接点４８に接触すればスプロケットスイッチはＯＮになりスプロケットスイッチＯＦＦ接点４７に接触すればスプロケットスイッチはＯＦＦになる。
【００６４】
図１３の状態では、スプロケットスイッチの中央接点４６とスプロケットスイッチＯＮ接点４８はＯＮになっているが、シャッターボタン８は未だ押し下げられたままで、シャッター中央接点４３とシャッターレリーズスイッチＯＮ接点４４は接触していない状態である。
【００６５】
シャッター５２が一度開閉した後は、次の未露出フィルム１８が一枚分だけ所定の位置に送られなければならない。図１３の状態からシャッターボタン８を押し下げている指がシャッターボタン８から離されると、直ちにシャッター中央接点４３が上にあがってシャッターレリーズスイッチＯＮ接点４４に接触しシャッターレリーズスイッチをＯＮの状態にする。既にスプロケットスイッチの中央接点４６とスプロケットスイッチＯＮ接点４８はＯＮの状態であるので、図９に示すように、電流はシャッターレリーズスイッチの中央接点４３とシャッターレリーズスイッチＯＮ接点４４及びスプロケットスイッチ中央接点４６とスプロケットスイッチＯＮ接点４８を通って流れる。そしてモーター１６が回転を始めフィルム１８は、図１４に示す矢印の方向に給送され始める。そしてスプロケット２７とスプロケットカム３０はフィルム１８の走行とともに反時計方向に回転する。すると、シャッター・スプロケット制御機構の主軸３３は、スプロケット２７と一緒に反時計方向に回転するスプロケットカム３０の縁表面を倣いながら、カム接触爪３２が時計方向に回転すると共に、やはり時計方向に回転する。
【００６６】
同時にシャッターセットレバー３４が時計方向に回転しシャッターアクチュエーター３７をシャッター５２を切る前の位置に引き戻し、そこで一杯にチャージされたシャッターチャージばね４０とともに、シャッターアクチュエーター３７の溝４２に連結されたシャッターセットレバー３４の先端４１によってロックされる。同時にシャッターアクチュエーター３７の左方への動きに伴って、作動レバー３５が、図１４に示すように、シャッターアクチュエーター３７の先端５３から離れてフリーになり、時計方向に回転可能になる。すると、作動レバー３５の左アームの端にある突起３５−ｂは中央接点４６から離れ、中央接点４６をスプロケットスイッチＯＮ接点４８の方に引っ張ることを停止する。すると中央接点４６はそれ自身の持つばね張力によって、中央接点４６の接触コーナー４９がスプロケットディスク３１の縁表面に密着する。そして接触コーナー４９はスプロケットディスク３１がスプロケット２７と共に回転している間接触を続け、スプロケットディスク３１の縁に設けた切り欠き溝５０のところで、中央接点４６の接触コーナー４９がスプロケットディスク３１の縁に設けた切り欠き溝５０に落ち込むと、その瞬間、中央接点４６はスプロケットスイッチＯＮ接点４８から離れて、反対側に位置するスプロケットスイッチＯＦＦ接点４７に接触し、直ちにモーター１６の回転は停止する。
【００６７】
前述したように、フィルム巻き上げの時のスプロケット２７の回転始めから終わりまでの回転数は一回で、その一回転で送るフィルム１８の走行距離は、正確にフィルム一枚分となるように、スプロケットの歯数が８となるように設計されている。スプロケット２７が一回転して停止すると、露出済みのフィルム１８はフィルムパトローネ１２に巻き込まれ、新しい未露出フィルム１８が、フィルム事前巻き上げスプール１０から引き出され、フィルム事前巻き上げスプール１０とフィルムパトローネ１２の間の露出用開口部１３の背後に置かれ、次の撮影が可能になる。
【００６８】
そして、シャッター・スプロケット制御機構は、図１０の状態に戻ったことになリ、シャッター５２はチャージされ、新しい未露出フィルム１８は所定の位置にあり、カメラはいつでも撮影可能な状態である。
【００６９】
以上述べたように、本使い捨てカメラ１にあっては、シャッターボタン８の上下運動に連動して起こるシャッター・スプロケット制御機構の主軸３３の上下運動が、総ての必要な動作手順、例えば、フィルム事前巻き上げに際してスプロケット２７をシャッターチャージとシャッターレリーズ機構から切り離すこと、逆に撮影時にはフィルム１８の走行に合わせてスプロケット２７をシャッターチャージとシャッターレリーズ機構に連動させること、そしてモーター１６を制御するスイッチの総てのＯＮとＯＦＦを司ること等を制御している。
【００７０】
図１０に示すように、露出枚数カウンターギヤ５４が、スプロケットカム３０の一部として形成されているカウンターギヤ作動爪５５と係合している。前述したように、スプロケット２７の一回転で、フィルム１駒（一枚）分が巻き上げられる。そして、スプロケット２７が一回転すると、カウンターギヤ作動爪５５が露出枚数カウンターギヤ５４をその歯数一枚分進めるように、枚数計は設計されている。露出枚数カウンターギヤ５４の歯の数は使い捨てカメラ１に事前装填するフィルム１８の枚数に合わせて決められ、例えば２７枚撮りのフィルム１８を使用する場合ならば、１から２７までの数字が露出枚数カウンターギヤの上面に、それぞれの歯の位置に合わせて印刷され、一枚目のフィルム１８が露出されると、数字１がカウンターに表示される。そのようにして、最後の露出がなされるとそのフィルム１８の撮影可能枚数の数字（この例では２７）が最後に表示される。
【００７１】
フィルム１８の最終駒の撮影が終了した時点で、総ての露出済みフィルム１８はフィルムパトローネ１２に巻き込まれている。そしてその後もモーター１６は回転を続け、フィルム事前巻き取りスプール１０に残っている、露出不可能部分な未露出部分も更に給送しフィルムパトローネ１２に巻き取ってしまう。もしこの後もモーター１６が回転を続けるとすれば、それは不要で有害であるので、不必要なモーター１６の回転を防止するために、図６〜図９に示すようにフィルムセンサースイッチ３６が設けられている。
【００７２】
このフィルムセンサースイッチ３６はフィルム１８がフィルム事前巻き取りスプール１０とフィルムパトローネ１２の間にあれば、フィルム１８が停止していても、また走行していても常時フィルム１８に押されて、スイッチがＯＮになるような位置に設置されている。つまり他の２つのスイッチ、シャッター中央接点４３とシャッターレリーズスイッチＯＮ接点４４及びスプロケットスイッチ中央接点４６とスプロケットスイッチＯＮ接点４８がＯＮである場合に、フィルムセンサースイッチ３６がＯＮになるとモーター１６は回転する。従って、フィルム１８の撮影が総て完了し、フィルム１８がフィルムパトローネ１２に巻き込まれてしまうと、フィルムセンサースイッチ３６はフィルム１８の圧力が無くなるのでＯＦＦになり、他の２つのスイッチがＯＮであってもモーター１６の回転は停止する。
【００７３】
【発明の効果】
以上説明したように、本発明の使い捨てカメラとして使用することができるカメラにおいては、以下のような効果を奏する。
【００７４】
（１）カメラ本体を破壊することなく露出済みフィルムをカメラ本体から取り出すことができ、製造者が、余分に部品を追加することなく又再利用のための改造を施すこともなしに再利用することができる。
【００７５】
（２）製造者又はフィルム現像処理業者にとって、暗室内で使用するための高価で複雑なフィルム事前巻き上げ装填装置は必要でなく、ごく安価にフィルムの再装填を昼光下で行うことができ、一般のユーザーですら、特に特殊な装置、器具等が不要なためフィルムの再装填を行うことができる。
【００７６】
（３）内蔵モーターがフィルムの事前巻上げのみでなく、撮影後のフィルム巻上げにも利用でき、カメラの利便性を通常の手動巻上げ方式の使い捨てカメラに比べてはるかに高いものにすることができる。
【００７７】
（４）スイッチを設けないでも、電池に対する接点を選択するだけでモーターの回転方向、すなわちフィルムの搬送方向を変更することができる。
【図面の簡単な説明】
【図１】本発明の実施例に係る使い捨てカメラの前面外観を示す斜視図である。
【図２】（ａ）は本発明の実施例に係る使い捨てカメラの後ろカバーを開いた外観状態を示す斜視図であり、（ｂ）は同使い捨てカメラの後ろカバーを開きフィルムパトローネをカメラに装填した外観状態を示す斜視図である。
【図３】本発明の実施例に係る使い捨てカメラのモーター及びギヤーを示す分解斜視図及びギヤートレインの組立平面図である。
【図４】本発明の実施例に係る使い捨てカメラの電池蓋を開いた外観状態を示す斜視図及び電池の挿入方向を示す電池の斜視図と、電池室内部における電池のフィルム事前巻き上げ時とフィルムのパトローネへの巻き取り時それぞれに対応する電池の位置を示す表示部の平面図とである。
【図５】（ａ）は本発明の実施例に係る使い捨てカメラの電池室内部における電池のフィルム事前巻き上げ時とフィルムのパトローネへの巻き取り時それぞれに対応する位置を示す平面図、（ｂ）は電池室内部における金属接点の構造を示す平面図である。
【図６】本発明の実施例に係る使い捨てカメラにおける未露出フィルム事前巻き上げ時における電気回路を示す回路図である。
【図７】本発明の実施例に係る使い捨てカメラの未露出フィルム事前巻き上げが完了した時点で、シャッターボタンが未だ押されていない状態における電気回路を示す回路図である。
【図８】本発明の実施例に係る使い捨てカメラのシャッターがチャージされ、フィルムは静止している状態における電気回路を示す回路図である。
【図９】本発明の実施例に係る使い捨てカメラの既露出フィルムがパトローネに巻き取られている状態における電気回路を示す回路図である。
【図１０】本発明の実施例に係る使い捨てカメラのシャッター・スプロケット制御機構において、シャッターがチャージされ、電池がフィルムをパトローネに巻き取る位置に装填され、撮影直前の状態を示す分解斜視図と、スプロケットディスクの縁に設けられた切り欠き溝にスプロケットスイッチ中央接点の接触コーナーが落ち込んで中央接点がスプロケットスイッチＯＦＦ接点に接触している状態を示す平面図と、シャッターセットレバーの先端の位置とシャッターアクチュエーターの位置とを示す平面図である。
【図１１】本発明の実施例に係る使い捨てカメラのシャッター・スプロケット制御機構において、未露出フィルムがフィルム事前巻き取りスプールに巻き上げられつつある状態を示す分解斜視図と、スプロケットディスクの縁に設けられた切り欠き溝からスプロケットスイッチ中央接点の接触コーナーが離れて中央接点がスプロケットスイッチＯＮ接点に接触している状態を示す平面図と、シャッターセットレバーの先端の位置とシャッターアクチュエーターの位置とを示す平面図である。
【図１２】本発明の実施例に係る使い捨てカメラのシャッター・スプロケット制御機構において、未露出フィルムのフィルム事前巻き取りスプールへの巻き上が終了した状態でかつ電池が未だ電池室内でフィルム未露出フィルムの事前巻き上げのための位置に装填された状態を示す分解斜視図と、スプロケットディスクの縁に設けられた切り欠き溝からスプロケットスイッチ中央接点の接触コーナーが離れて中央接点がスプロケットスイッチＯＮ接点に接触している状態を示す平面図と、シャッターセットレバーの先端の位置とシャッターアクチュエーターの位置とを示す平面図である。
【図１３】本発明の実施例に係る使い捨てカメラのシャッター・スプロケット制御機構において、シャッターボタンが押されシャッターが切られたが、未だシャッターボタンは押されたままで元の位置に戻っていない状態を示す分解斜視図と、スプロケットディスクの縁に設けられた切り欠き溝からスプロケットスイッチ中央接点の接触コーナーが離れて中央接点がスプロケットスイッチＯＮ接点に接触している状態を示す平面図と、シャッターセットレバーの先端の位置とシャッターアクチュエーターの位置とを示す平面図である。
【図１４】本発明の実施例に係る使い捨てカメラのシャッター・スプロケット制御機構において、シャッターが切られた後で既露出フィルムがパトローネに巻き取られつつある状態を示す分解斜視図と、スプロケットディスクが回転を始め、スプロケットディスクの縁に設けられた切り欠き溝からスプロケットスイッチ中央接点の接触コーナーが離れてスプロケットディスクの縁に乗り上げ、スプロケットスイッチ中央接点がスプロケットスイッチＯＮ接点に接触している状態を示す平面図と、シャッターセットレバーの先端の位置とシャッターアクチュエーターの位置とを示す平面図である。
【図１５】本発明の実施例に係る使い捨てカメラのシャッター・スプロケット制御機構において、撮影済みのフィルム総てがフィルムパトローネの中に巻き取られ、巻き取りが完了した状態を示す分解斜視図と、スプロケットディスクが回転を始め、スプロケットディスクの縁に設けられた切り欠き溝からスプロケットスイッチ中央接点の接触コーナーが離れてスプロケットディスクの縁に乗り上げ、スプロケットスイッチ中央接点がスプロケットスイッチＯＮ接点に接触している状態を示す平面図と、シャッターセットレバーの先端の位置とシャッターアクチュエーターの位置とを示す平面図である。
【図１６】本発明の実施例に係る使い捨てカメラにおけるスプロケットカムとカム接触爪との関連運動を時系列に連続して表現した平面図である。
【符号の説明】
１    使い捨てカメラ
２    カメラ本体部
３    カメラ前面部
４    カメラ後ろカバー
５    撮影レンズ
６    ファインダー窓
７    フラッシュ窓
８    シャッターボタン
９    蝶番
１０    フィルム事前巻き取りスプール
１１    フィルム室
１２    フィルムパトローネ
１３    露出用開口部
１４    フォーク
１５    ギヤ列
１６    モーター
１７    フィルムの先端
１８    フィルム
１９    電池室
２０−ａ    フィルム事前巻き上げ時の電池極性表示
２０−ｂ    フィルムをパトローネに巻き取り時の電池極性表示
２１    電池蓋
２２    電池
２３    金属製ばね接点
２４    凹部
２５    金属接点
２６    金属接点
２７    スプロケット
２８    パーフォレーション
２９    スプロケット軸
３０    スプロケットカム
３１    スプロケットディスク
３２    カム接触爪
３３    主軸
３４    シャッターセットレバー
３５    作動レバー
３６    フィルムセンサースイッチ
３７    シャッターアクチュエーター
３８    ガイドピン
３９    溝レール
４０    シャッターチャージばね
４１    シャッターセットレバーの先端
４２    溝
４３    シャッター中央接点
４４    シャッターレリーズスイッチＯＮ接点
４５    事前巻き上げスイッチＯＮ接点
４６    スプロケットスイッチ中央接点
４７    スプロケットスイッチＯＦＦ接点
４８    スプロケットスイッチＯＮ接点
４９    接触コーナー
５０    切り欠き溝
５１    シャッター羽根頭部
５２    シャッター
５３    シャッターアクチュエーターの先端
５４    露出枚数カウンターギヤ
５５    カウンターギヤ作動爪
５７    主軸コイルばね
５８    スロット窓
５９    シャッター機構基板
６０    旋回軸
【図１】
2004177735.tif 000003
【図２】
2004177735.tif 000004
【図３】
2004177735.tif 000005
【図４】
2004177735.tif 000006
【図５】
2004177735.tif 000007
【図６】
2004177735.tif 000008
【図７】
2004177735.tif 000009
【図８】
2004177735.tif 000010
【図９】
2004177735.tif 000011
【図１０】
2004177735.tif 000012
【図１１】
2004177735.tif 000013
【図１２】
2004177735.tif 000014
【図１３】
2004177735.tif 000015
【図１４】
2004177735.tif 000016
【図１５】
2004177735.tif 000017
【図１６】
2004177735.tif 000018